(57)【要約】      （修正有）【課題】特に天ぷら油火災発生時などにおける初期消火のために、簡単に使用でき、消火可能な簡易消火器具を提供する。【解決手段】取っ手棒５の先端に取り付けた揮発性で不燃性の消火液を含有するマイクロカプセルを内包した袋状体（容器）２からなる簡易消火器具１であって、マイクロカプセルが高温に曝されると不燃性気化ガスを放出し、火災発生時などにおいて初期消火ができる。また、高吸水性樹脂３（水を吸水させた）を内包した袋状体（容器）からなる簡易消火器具である。天ぷら油火災時、天ぷら鍋に容器を投入することにより、不燃性気化ガスが放出し消火ができる。もしくは、天ぷら油火災時、天ぷら鍋に容器を投入することにより不燃性気化ガスが放出し、同時に高吸水性樹脂（水を吸水させた）の水分が気化する際の気化熱により天ぷら油の熱量を奪い消火ができる。【選択図】図２
0003133372.tif 000002
【実用新案登録請求の範囲】
【請求項１】
取っ手棒５（伸縮自在又は棒）と、この取っ手棒５の先端部６に紐状体７を介して消火剤を内包した容器２を取り付けた簡易消火器具であって、該消火剤４が揮発性且つ不燃性の消火液を含有するマイクロカプセルからなることを特徴とする簡易消火器具。
【請求項２】
取っ手棒５（伸縮自在又は棒）と、この取っ手棒５の先端部６に紐状体７を介して消火剤を内包した容器２を取り付けた簡易消火器具であって、該消火剤４が揮発性且つ不燃性の消火液を含有するマイクロカプセルと該消火剤３が高吸水性樹脂に水を吸水させた物からなることを特徴とする簡易消火器具。
【請求項３】
上記マイクロカプセルが含有する核部分の消火液の沸点６０℃乃至１６０℃である常温で液体からなることを特徴とする請求項１〜２に記載の簡易消火器具。
【請求項４】
上記マイクロカプセルが含有する核部分の消火液がジブロモメタン（二臭化メタン）、またはジブロモメタンを主成分とする液体混合液であることを特徴とする請求項１〜２に記載の簡易消火器具。
【請求項５】
上記マイクロカプセルが含有する殻の部分が１３０℃〜２５０℃で消火液の気化ガス圧で破壊し、該気化ガスが放出されることを特徴とする請求項３〜４に記載の簡易消火器具。
【請求項６】
上記のマイクロカプセルが含有する殻部分が天然樹脂または合成樹脂またはこれらの混合物で形成されることを特徴とする請求項５に記載の簡易消火器具。
【請求項７】
上記のマイクロカプセルが含有する殻部分がゼラチン、ゼラチン・アラビアゴム、メラミン樹脂、尿素・ホルマリン樹脂、ウレタン樹脂を主成分とする混合物であることを特徴とする請求項５に記載の簡易消火器具。
【請求項８】
取っ手棒５（伸縮自在又は棒）と、この取っ手棒５の先端部６に紐状体７を介して消火剤を内包した容器２を取り付けた簡易消火器具であって、該消火剤３が高吸水性樹脂に水を吸水させた物からなることを特徴とする簡易消火器具。
【請求項９】
高吸水性樹脂としては、ポリアクリル酸塩系、でんぷん−アクリル酸グラフト系、ポリビニルアルコール系、酢酸ビニル−アクリル酸塩系、イソブチレン−マレイン酸系を主成分とするものからなる請求項２，８の簡易消火器具。
【請求項１０】
取っ手棒５の先端部６の一部が２００℃以下で軟化破断することを特徴する請求項１〜９に記載の簡易消火器具。
【請求項１１】
紐状体７が高温で容易に軟化破断する材料からなり、内包されたマイクロカプセル及び水を吸水した高吸水性樹脂が放出されることを特徴とする請求項１〜１０に記載の簡易消火器具。
【請求項１２】
容器２が通気性の袋体からなることを特徴とする請求項１〜１０に記載の簡易消火器具。
【請求項１３】
容器２が気密性の袋体からなることを特徴とする請求項１〜１０に記載の簡易消火器具。
【考案の詳細な説明】
【技術分野】
【０００１】  本考案は、家庭内、レストラン、ホテル等での台所、調理場、厨房などの小規模火災発生時（特に天ぷら油火災）などにおける初期消火に誰もが容易に使用できる簡易消火器具に関するものである。
【背景技術】
【０００２】  従来より家庭内などに設置されている消火器具として、ＡＢＣ粉末消火器が一般的である。小型軽量と称して簡易消火具も市販されている。例えば、商品名「フラワー消火」として供されているものがある。（実公昭５８−４１９８１）【０００３】  しかしながら、これらの技術に開示されている消火剤は、例えば天ぷら油料理を調理している天ぷら鍋の天ぷら油に着火燃焼するような火災発生時において、発泡することによって空気を遮断し、消火するものである。しかし、発泡展開に時間を要するため完全消火に数十秒要する。火災発生時、慌てている中で数十秒は長い時間であると思われる。
【考案が解決しようとする課題】
【０００４】  以上のように、家庭内での天ぷら油火災発生時、初期消火のための使用が簡単な安心して使える簡易消火器を提供することである。
【課題を解決するための手段】
【０００５】  上記課題を解決するものとして、本考案による簡易消火器は、消火液を含有したマイクロカプセルと水を吸水させた高吸水性樹脂を内包した容器、もしくは、水を吸水させた高吸水性樹脂を内包した容器もしくは消火液を含有したマイクロカプセルを内包したこの容器を先端に取り付けた取っ手棒（伸縮自在又は棒）により構成される。
【０００６】  すなわち、以下の特徴を有する簡易消火器により上記課題が解決される。（請求項１）取っ手棒５（伸縮自在又は棒）と、この取っ手棒５の先端部６に紐状体７を介して消火剤を内包した容器２を取り付けた簡易消火器具であって、該消火剤４が揮発性且つ不燃性の消火液を含有するマイクロカプセルからなることを特徴とする簡易消火器具。（請求項２）取っ手棒５（伸縮自在又は棒）と、この取っ手棒５の先端６に紐状体７を介して該消火剤４が揮発性且つ不燃性の消火液を含有するマイクロカプセルと該消火剤３が高吸水性樹脂に水を吸水させた物からなることを特徴とする簡易消火器。（請求項３）上記マイクロカプセルが含有する核部分の消火液の沸点６０℃乃至１６０℃である常温で液体からなることを特徴とする請求項１〜２に記載の簡易消火器具。（請求項４）上記マイクロカプセルが含有する核部分の消火液がジブロモメタン（二臭化メタン）、またはジブロモメタンを主成分とする液体混合液であることを特徴とする請求項１〜２に記載の簡易消火器具。（請求項５）上記マイクロカプセルが含有する殻の部分が１３０℃〜２５０℃で消火液の気化ガス圧で破壊し、該気化ガスが放出されることを特徴とする請求項３〜４に記載の簡易消火器具。（請求項６）上記のマイクロカプセルが含有する殻部分が天然樹脂または合成樹脂またはこれらの混合物で形成されることを特徴とする請求項５に記載の簡易消火器具。（請求項７）上記のマイクロカプセルが含有する殻部分がゼラチン、ゼラチン・アラビアゴム、メラミン樹脂、尿素・ホルマリン樹脂、ウレタン樹脂を主成分とする混合物であることを特徴とする請求項５に記載の簡易消火器具。（請求項８）取っ手棒５（伸縮自在又は棒）と、この取っ手棒５の先端部６に紐状体７を介して消火剤を内包した容器２を取り付けた簡易消火器具であって、該消火剤３が高吸水性樹脂に水を吸水させた物からなることを特徴とする簡易消火器具。（請求項９）高吸水性樹脂としては、ポリアクリル酸塩系、でんぷん−アクリル酸グラフト系、ポリビニルアルコール系、酢酸ビニル−アクリル酸塩系、イソブチレン−マレイン酸系を主成分とする請求項２，８の簡易消火器具。（請求項１０）取っ手棒５の先端部６の一部が２００℃で軟化破断することを特徴する請求項１〜９に記載の簡易消火器具。（請求項１１）紐状体７が高温で容易に軟化破断する材料からなり、内包されたマイクロカプセル及び水を吸水した高吸水性樹脂が放出されることを特徴とする請求項１〜１０に記載の簡易消火器具。（請求項１２）容器２が通気性の袋体からなることを特徴とする請求項１〜１０に記載の簡易消火器具。（請求項１３）容器２が気密性の袋体からなることを特徴とする請求項１〜１０に記載の簡易消火器具。
【作用】
【０００７】  本考案に係わる、簡易消火器具は、取り出しやすい場所に常置しておき、火災時、取っ手棒の基端部を片手で持って容器部分を天ぷら鍋に投入すれば火災によって、容器が取っ手棒からはずれ、天ぷら油面の高温に曝され水を吸水した高吸水性樹脂が水を放出し、水が水蒸気になるときの気化熱（潜熱）で天ぷら油より熱量を奪い、天ぷら油の温度を引火点以下に下げる働きがあり、且つマイクロカプセル内の揮発性不燃液が気化して、気化ガス圧によりマイクロカプセルが破裂し、気化ガスが火炎及び高温の油面を覆って、空気を遮断して消火する。マイクロカプセル消火剤と高吸水性樹脂の相乗効果もしくはマイクロカプセル消火剤もしくは高吸水性樹脂の効果により、天ぷら油火災の消火効果は高い。
【考案実施の形態】
【０００８】  本考案において、使用されるマイクロカプセルもしくは高吸水性樹脂（水を吸水させた）の容器は球状、筒状、角柱状、袋状、板状などの任意の形状を使用することも出来、気密性のあるもの、通気性のあるものも用いる事ができる。容器は透明、半透明あるいは不透明でも良い。
【０００９】  消火のために、容器が火中に投入され、内包された高吸水性樹脂に吸水された水分が油面及び高温に曝された部分より水を放出し、気化することにより、気化熱（潜熱）で天ぷら油の熱量を奪い温度を下げ、消火する。用いる高吸水性樹脂に吸水させた水の量は天ぷら油１リットルに対し５０ｍｌ以上が好ましい。同時にマイクロカプセルに内包されている消火液が高温により気化し、気化ガスの圧力でマイクロカプセルの殻が破裂し、気化ガスが放出されることである。用いるマイクロカプセルの量は天ぷら油１リットルに対し２０ｇ以上が好ましい。この放出ガス及び高吸水性樹脂の水分の相乗効果で消火する。
【００１０】  高吸水性樹脂（水を吸水させた）と消火液マイクロカプセルの組合せを図５〜図７に示す。
【００１１】  従って、用いられる容器の材質あるいは材料として、容器が気密性の場合は、例えば、天ぷら油火災のような高温（３５０℃以上）の場合、火炎や油温で容器が消失するか、軟化・溶融して少なくとも一部が破壊して、マイクロカプセル及び高吸水性樹脂（水溶液を吸水させた）が放出されればよい。従って、天然樹脂、紙やセルロース改質合成樹脂は、火炎で消失するので好ましい。合成樹脂が用いられる場合はその軟化あるいは溶融温度が火災時の油温以下であればよい。ポリエチレン、ポリプロピレン、ナイロン、ポリエチレンテレフタート、ポリ塩化ビニール、ポリスチレンなどが用いられる。これらのブレンドも用いることができる。さらに、容器の通気性のものであれば、気化ガスは容器から放出されるので、容器は破壊される必要がなく、この場合は材質・材料はさらに任意となる。金属繊維、金属網、天然繊維、合繊繊維、織物などが用いられる。
【００１２】  消火液マイクロカプセルの断面図を図４に示す。
【００１３】  用いられるマイクロカプセルはその直径が５０ミクロンから１０００ミクロン程度のものが用いられる。特に５０ミクロンから２００ミクロン程度のものが粉体状であり、容器への挿入操作が簡単である。
【００１４】  取っ手棒の材料はアルミニウム、ステンレスなどの金属、あるいはポリエチレン、ポリプロピレン、ナイロン、ポリエチレンテレフタレート、ポリ塩化ビニール、ポリスチレンなどの合成樹脂、複合合成樹脂材などを用いることが出来る。
【００１５】  取っ手棒の先端部に紐状体を介して消火剤を内包した容器を吊るす紐状体の材料は、火災で消失あるいは軟化、溶融して破断するものなら何でも良い。天然繊維や合成繊維が好ましく用いられる。
【効果】
【００１６】  この簡易消火器具では、容器部分を天ぷら油に投入した途端から３０秒以内に完全消火し、再着火することがない。天ぷら油火災で慌てている当事者にとって消火できることは安心であり、大きな利点である。
【実施例１】
【００１７】  本考案に基づく実施例について、図１を参照して説明する。
図１には、取っ手棒５（伸縮自在又は棒）と、この取っ手棒５の先端６に紐状体７を介して消火剤を内包した容器消火剤を内包した容器２を火災が発生した天ぷら鍋９の中に片手を伸ばし投入されている状態が示されている。本実施例ではステンレス製のものを使用した。ここでの取っ手棒５は、角筒状の伸縮自在又は棒でもよい。【００１８】  容器２は合成樹脂からなる袋体であるが、この容器２は燃焼中の天ぷら鍋９（天ぷら油量約１リットル注入）の中に投入されると、火炎によって瞬時に消失し、内包されたマイクロカプセル２００ｇが容器から放出されて天ぷら鍋９の天ぷら油中（油温約３５０℃）に落下するとともに、マイクロカプセルに内包されたジブロモメタンが気化し、気化ガス圧によってマイクロカプセルは破裂し、気化ガスが火炎及び油面を覆って消火する。容器２を火災発生中の天ぷら鍋に投入してから消火までの時間は２０秒以内であった。そして再引火することはなかった。【００１９】  天ぷら油は酸化の進んだ古い油から新しい油まで、自然発火温度は３００℃〜３７０℃といわれている。本実施例では燃焼時の油温度は約３５０℃であった。ジブロモメタンの場合、不燃性で、常圧での気化温度（沸点）は９７℃である。また気化ガスの比重は空気より重く、気化によって液体時の体積は約３００倍に膨張する。
【実施例２】
【００２０】  本考案に基づく実施例について、図２を参照して説明する。
容器２は合成樹脂からなる袋体であるが、この容器２は燃焼中の天ぷら鍋９（天ぷら油量約１リットル注入）の中に投入されると、火炎によって瞬時に消失し、内包された高吸水性樹脂（高吸水性樹脂５ｇに水２００ｍｌを吸水させたもの）とマイクロカプセル５０ｇが容器から放出されて天ぷら鍋９の天ぷら油中（油温約３５０℃）に落下するとともに、マイクロカプセルに内包されたジブロモメタンが気化し、気化ガス圧によってマイクロカプセルは破裂し、気化ガスが火炎及び油面を覆って消火し、同時に高吸水性樹脂の水分が高温の天ぷら油に曝されることにより、水蒸気になり、この時の気化熱（潜熱）により、天ぷら油の熱量を奪い消火する。容器２を火災発生中の天ぷら鍋に投入してから消火までの時間は２５秒以内であった。そして再引火することはなかった。【００２１】  高吸水性樹脂（高吸水性樹脂２ｇに水２００ｍｌを吸水させたもの）の効果は、天ぷら油の比熱≒０．５、比重≒０．９、１０００ｍｌの天ぷら油の重さは≒９００ｇ天ぷら油９００ｇ（油温３５０℃）の熱量＝０．５×９００ｇ×３５０℃＝１５７，５００ｃａｌ＝１５７．５Ｋｃａｌ、水２００ｇを油温３５０℃の天ぷら油に投入した場合、奪う熱量は＝２００ｇ×５３９ｃａｌ＝１０７，８００ｃａｌ＝１０７．８Ｋｃａｌ、結果天ぷら油の油温は降下し、再着火することはない。
【実施例３】
【００２２】  本考案に基づく実施例について、図２を参照して説明する。
容器２は合成樹脂からなる袋体であるが、この容器２は燃焼中の天ぷら鍋９（天ぷら油量約１リットル注入）の中に投入されると、火炎によって瞬時に消失し内包された高吸水性樹脂（高吸水性樹脂３ｇに水３００ｍｌを吸水させたもの）とマイクロカプセル５０ｇが容器から放出されて天ぷら鍋９の天ぷら油中（油温約３５０℃）に落下するとともに、マイクロカプセルに内包されたジブロモメタンが気化し、気化ガス圧によってマイクロカプセルは破裂し、気化ガスが火炎及び油面を覆って消火し、同時に高吸水性樹脂の水分が高温の天ぷら油に曝されることにより、水蒸気になり、この時の気化熱（潜熱）により、天ぷら油の熱量を奪い消火する。容器２を火災発生中の天ぷら鍋に投入してから消火までの時間は１５秒以内であった。そして再引火することはなかった。
【実施例４】
【００２３】本考案に基づく実施例について、図３を参照して説明する。
実施例４は内包された高吸水性樹脂（高吸水性樹脂３ｇに水３００ｍｌを吸水させたもの）と容器から放出されて天ぷら鍋９の天ぷら油中（油温約３５０℃）に落下するとともに、高吸水性樹脂の水分が高温の天ぷら油に曝されることにより、水蒸気になり、この時の気化熱（潜熱）により、天ぷら油の熱量を奪い消火する。容器２を火災発生中の天ぷら鍋に投入してから消火までの時間は２０秒以内であった。そして再引火することはなかった。
【図面の簡単な説明】
【００２４】
【図１】本考案の簡易消火器具の実施図
【図２】本考案の簡易消火器具の実施図
【図３】本考案の簡易消火器具の実施図
【図４】消化液マイクロカプセルの断面図
【図５】消火液マイクロカプセルと高吸水性樹脂（水を吸水させたもの）組合せ
【図６】消火液マイクロカプセルと高吸水性樹脂（水を吸水させたもの）組合せ
【図７】消火液マイクロカプセルと高吸水性樹脂（水を吸水させたもの）組合せ
【符号の説明】
【００２５】１簡易消火器具
２容器
３高吸水性樹脂（水を吸水させたもの）
４消火剤（消化液入りマイクロカプセル）
５取っ手棒
６紐状体
７取っ手棒の先端部
８取っ手棒の基端部
９天ぷら鍋
【図１】
0003133372.tif 000003
【図２】
0003133372.tif 000004
【図３】
0003133372.tif 000005
【図４】
0003133372.tif 000006
【図５】
0003133372.tif 000007
【図６】
0003133372.tif 000008
【図７】
0003133372.tif 000009